(57)【要約】【課題】ヒートポンプ式風呂給湯システムにおいて、風呂廃熱利用給湯運転による省エネルギー化と運転時間の短縮化、機器の小型化をはかる。【解決手段】圧縮機１、冷媒給湯熱交換器２、減圧手段３、蒸発器４からなる冷媒回路５と、前記冷媒給湯熱交換器２と熱交換関係を有する水給湯熱交換器９、風呂熱交換器８を備えた給湯回路１０と、前記風呂熱交換器８と熱交換関係を有する風呂熱回収熱交換器１３を備えた風呂回路１４を備え、貯湯タンク６から送られてきた低温水（給水）を浴槽１１の残り湯で加熱した後、水給湯熱交換器９に流入させて圧縮機１のヒートポンプ凝縮熱で高温湯に加熱し、貯湯タンク６に貯湯するヒートポンプ式風呂給湯システムである。【選択図】図１
2005030758.tif 000002
【特許請求の範囲】
【請求項１】
圧縮機、冷媒給湯熱交換器、大気熱あるいは太陽熱を吸熱する蒸発器を有する冷媒回路と、貯湯タンク、給湯ポンプ、風呂熱交換器、前記冷媒給湯熱交換器と熱交換関係を有し前記風呂熱交換器と直列に接続された水給湯熱交換器を有する給湯回路と、風呂ポンプ、前記風呂熱交換器と熱交換関係を有する風呂熱回収熱交換器を有する風呂回路と、前記水給湯熱交換器の流体出口温度あるいは前記風呂回路の流体温度を検出する温度検出手段と、前記圧縮機の運転周波数を可変する周波数制御手段と、前記温度検出手段の信号を受けて前記周波数制御手段へ信号を送る能力制御手段と、前記温度検出手段の信号を受けて前記周波数制御手段へ信号を送る能力制御手段を有するヒートポンプ式風呂給湯システム。
【請求項２】
冷媒回路と並列接続された冷媒風呂熱交換器と、前記冷媒風呂熱交換器と熱交換関係を有する第２の風呂熱回収熱交換器と、前記第２の風呂熱回収熱交換器と前記風呂回路を接続した風呂熱回収回路と、蒸発器と前記冷媒風呂熱交換器への冷媒流れ方向を切り換えるとともに風呂熱回収熱交換器と前記第２の風呂熱回収熱交換器への浴槽水流れ方向を切り換える制御手段を有する請求項１記載のヒートポンプ式風呂給湯システム。
【請求項３】
給湯ポンプの流量制御をおこなう流量制御手段と、水給湯熱交換器の流体出口温度を検出する温度検出手段と、前記温度検出手段の信号を受けて前記流量制御手段へ信号を発信する給湯ポンプ制御手段を有する請求項１または２記載のヒートポンプ式風呂給湯システム。
【請求項４】
給湯回路の流体温度を検出する給水温度検出手段と、風呂回路の流体温度を検出する風呂温度検出手段と、風呂ポンプの流量制御をおこなう風呂流量制御手段と、前記給水温度検出手段と前記風呂温度検出手段の信号を受けて前記風呂流量制御手段へ信号を発信する風呂ポンプ制御手段を有する請求項１記載のヒートポンプ式風呂給湯システム。
【請求項５】
風呂熱交換器と並列に設けたバイパス管と、前記バイパス管に設けた開閉弁を有する請求項１または２記載ヒートポンプ式風呂給湯システム。
【請求項６】
蒸発器の冷媒入口温度を検出する冷媒温度検出手段と、前記蒸発器あるいは冷媒風呂熱交換器のいづれかに冷媒の流れを切換える冷媒切換え手段と、風呂熱回収熱交換器あるいは第２の風呂熱回収熱交換器のいづれかに浴槽水の流れを切換える風呂切換え手段と、前記冷媒温度検出手段の信号を受けて前記冷媒切換え手段および前記風呂切換え手段を制御する運転切換え制御手段を有する請求項２記載ヒートポンプ式風呂給湯システム。
【発明の詳細な説明】
【技術分野】
【０００１】
本発明はヒートポンプによる風呂給湯システムに関するものである。
【背景技術】
【０００２】
従来、この種のヒートポンプは特公昭６３−１０３４０号公報に示す如きものがある。以下、従来の技術について図面に基づき説明する。図１２は従来のヒートポンプシステムの構成図である。図１２において、ヒートポンプ５０で貯湯タンク６の水を加熱し、貯湯する。そして、浴槽１１への湯張り時に貯湯タンク６から出湯して利用する。
【特許文献１】特公昭６３−１０３４０号公報
【発明の開示】
【発明が解決しようとする課題】
【０００３】
しかしながら、従来のヒートポンプシステムでは、浴槽の残り湯を排水するため、熱エネルギー損失が大きい。例えば、４２℃の湯を風呂の湯張りに利用した場合、約３８℃の残り湯が排水されるため、入浴で有効に利用される湯温は約４ｄｅｇ（＝４２℃−３８℃）である。すなわち、冬季は３０ｄｅｇ（給水温８℃の場合）の熱が廃熱されることになり、浴槽の残り湯の熱が活用されない。
【０００４】
本発明は上記課題を解決するものであり、浴槽の残り湯を利用して、給湯システムの省エネルギー化、沸き上げ時間の短縮化および機器の小型化をはかることを主目的とするものである。
【課題を解決するための手段】
【０００５】
前記課題を解決するため、圧縮機、冷媒給湯熱交換器、大気熱あるいは太陽熱を吸熱する蒸発器を有する冷媒回路と、貯湯タンク、給湯ポンプ、風呂熱交換器、前記冷媒給湯熱交換器と熱交換関係を有し前記風呂熱交換器と直列に接続された水給湯熱交換器を有する給湯回路と、風呂ポンプ、前記風呂熱交換器と熱交換関係を有する風呂熱回収熱交換器を有する風呂回路と、前記水給湯熱交換器の流体出口温度あるいは前記風呂回路の流体温度を検出する温度検出手段と、前記圧縮機の運転周波数を可変する周波数制御手段と、前記温度検出手段の信号を受けて前記周波数制御手段へ信号を送る能力制御手段と、前記温度検出手段の信号を受けて前記周波数制御手段へ信号を送る能力制御手段を有するヒートポンプ式風呂給湯システムである。
【０００６】
以上の構成により、本発明は風呂廃熱回収運転において、浴槽の残り湯を風呂熱回収熱交換器へ送り、ここで貯湯タンクの水を風呂熱交換器を介して加熱する。そして、加熱した水を水給湯熱交換器へ流入し、冷媒給湯熱交換器を介して圧縮機の凝縮熱で高温湯に加熱して貯湯タンクに貯湯する。従って、風呂の残り湯をヒートポンプ加熱のプレヒートに利用するため、省エネルギーとなる。また、浴槽残り湯の熱とヒートポンプ加熱を同時運転するため、貯湯タンクの沸き上げ時間を短縮できる。また、ヒートポンプの加熱能力を小さくできるため、圧縮機、冷媒給湯熱交換器、蒸発器などの小型化が達成できる。また、風呂廃熱回収運転において、運転経過とともに浴槽の残り湯温が低下して、水給湯熱交換器出口湯温が低下することを検出して、圧縮機の運転周波数を大きくする。従って、ヒートポンプの加熱能力が増加するため、給湯負荷に対応した貯湯湯量および安定した沸き上げ湯温が得られる。また、入浴完了直後など、浴槽の残り湯温が高温の場合には、風呂熱交換器での熱交換量が大きいため水給湯熱交換器の出口湯温が上昇することを検出して、圧縮機の運転周波数を小さくする。従って、高効率で廃熱回収運転できる。
【発明の効果】
【０００７】
風呂廃熱回収運転において、浴槽の残り湯を風呂熱回収熱交換器へ送り、ここで貯湯タンクの水を風呂熱交換器を介して加熱する。そして、加熱した水を水給湯熱交換器へ流入し、冷媒給湯熱交換器を介して圧縮機の凝縮熱で高温湯に加熱して貯湯タンクに貯湯する。従って、風呂の残り湯をヒートポンプ加熱のプレヒートに利用するため、省エネルギーとなる。また、浴槽残り湯の熱とヒートポンプ加熱を同時運転するため、貯湯タンクの沸き上げ時間を短縮できる。また、ヒートポンプの加熱能力を小さくできるため、圧縮機、冷媒給湯熱交換器、蒸発器などの小型化が達成できる。また、風呂廃熱回収運転において、運転経過とともに浴槽の残り湯温が低下して、水給湯熱交換器出口湯温が低下することを検出して、圧縮機の運転周波数を大きくする。従って、ヒートポンプの加熱能力が増加するため、給湯負荷に対応した貯湯湯量および安定した沸き上げ湯温が得られる。また、入浴完了直後など、浴槽の残り湯温が高温の場合には、風呂熱交換器での熱交換量が大きいため水給湯熱交換器の出口湯温が上昇することを検出して、圧縮機の運転周波数を小さくする。従って、高効率で廃熱回収運転できる。
【発明を実施するための最良の形態】
【０００８】
本発明の請求項１記載の発明は、圧縮機、冷媒給湯熱交換器、大気熱あるいは太陽熱を吸熱する蒸発器を有する冷媒回路と、貯湯タンク、給湯ポンプ、風呂熱交換器、前記冷媒給湯熱交換器と熱交換関係を有する水給湯熱交換器を有する給湯回路と、風呂ポンプ、前記風呂熱交換器と熱交換関係を有する風呂熱回収熱交換器を有する風呂回路とを有し、前記風呂熱交換器及び前記水給湯熱交換器は直列に接続され、前記圧縮機を運転させることによる冷媒給湯熱交換器による熱交換と、前記風呂ポンプを運転させることによる風呂熱回収熱交換器による熱交換を同時に行うことを特徴とするヒートポンプ式風呂給湯システムであり、風呂廃熱回収運転において、浴槽の残り湯を風呂熱回収熱交換器へ送り、ここで貯湯タンクの水を風呂熱交換器を介して加熱する。そして、加熱した水を水給湯熱交換器へ流入し、冷媒給湯熱交換器を介して圧縮機の凝縮熱で高温湯に加熱して貯湯タンクに貯湯する。従って、風呂の残り湯をヒートポンプ加熱のプレヒートに利用するため、省エネルギーとなる。また、浴槽残り湯の熱とヒートポンプ加熱を同時運転するため、貯湯タンクの沸き上げ時間を短縮できる。また、ヒートポンプの加熱能力を小さくできるため、圧縮機、冷媒給湯熱交換器、蒸発器などの小型化が達成できる。また、風呂廃熱回収運転において、運転経過とともに浴槽の残り湯温が低下して、水給湯熱交換器出口湯温が低下することを検出して、圧縮機の運転周波数を大きくする。従って、ヒートポンプの加熱能力が増加するため、給湯負荷に対応した貯湯湯量および安定した沸き上げ湯温が得られる。また、入浴完了直後など、浴槽の残り湯温が高温の場合には、風呂熱交換器での熱交換量が大きいため水給湯熱交換器の出口湯温が上昇することを検出して、圧縮機の運転周波数を小さくする。従って、高効率で廃熱回収運転できる。
【０００９】
また、請求項２記載の発明は、冷媒回路と並列接続された冷媒風呂熱交換器と、前記冷媒風呂熱交換器と熱交換関係を有する第２の風呂熱回収熱交換器と、前記第２の風呂熱回収熱交換器と前記風呂回路を接続した風呂熱回収回路と、蒸発器と前記冷媒風呂熱交換器への冷媒流れ方向を切り換えるとともに風呂熱回収熱交換器と前記第２の風呂熱回収熱交換器への浴槽水流れ方向を切り換える制御手段を有する請求項１記載のヒートポンプ式風呂給湯システム。であり、風呂廃熱回収運転において、運転経過とともに浴槽の残り湯温が低下して貯湯タンクの水を加熱する能力が小さくなつた場合、冷媒を冷媒風呂熱交換器へ流すとともに浴槽湯を第２の風呂熱回収熱交換器へ流して浴槽湯を吸熱し、圧縮機の凝縮熱で水給湯熱交換器を流れる水を加熱する。従って、浴槽の残り湯を低温まで廃熱回収できるため、一層の省エネルギーとなる。
【００１０】
また、請求項３記載の発明は、給湯ポンプの流量制御をおこなう流量制御手段と、前記水給湯熱交換器の流体出口温度を検出する温度検出手段と、前記温度検出手段の信号を受けて前記流量制御手段へ信号を発信する給湯ポンプ制御手段を有する請求項１または２記載のヒートポンプ式風呂給湯システムであり、風呂廃熱回収運転において、運転経過とともに浴槽の残り湯温が低下して水給湯熱交換器出口の湯温が下がることを温度検出手段が検出して給湯ポンプ制御手段へ信号を送り、給湯ポンプの流量を下げる制御をおこない、水給湯熱交換器出口の湯温を所定湯温に維持する。よつて、貯湯タンクに同じ湯温で貯湯することができる。
【００１１】
また、請求項４記載の発明は、給湯回路の流体温度を検出する給水温度検出手段と、前記風呂回路の流体温度を検出する風呂温度検出手段と、風呂ポンプの流量制御をおこなう風呂流量制御手段と、前記給水温度検出手段と前記風呂温度検出手段の信号を受けて前記風呂流量制御手段へ信号を発信する風呂ポンプ制御手段を有する請求項１記載のヒートポンプ式風呂給湯システム。であり、風呂廃熱回収運転において、運転経過とともに浴槽の残り湯温が低下して、風呂熱回収熱交換器の流体温度と風呂熱交換器の流体温度の温度差が小さくなると風呂熱回収熱交換器を流れる流量を増加して風呂熱回収熱交換器の出口流体温度を高め、風呂熱回収熱交換器へ流入する流体温度を低温まで利用する。従って、浴槽の残り湯を低温まで廃熱回収できる。
【００１２】
また、請求項５記載の発明は、風呂熱交換器と並列に設けたバイパス管と、前記バイパス管に設けた開閉弁を有する請求項１または２記載ヒートポンプ式風呂給湯システムであり、風呂廃熱回収運転終了後、浴槽の残り湯が低温になって風呂熱交換器で廃熱回収しない場合において、開閉弁を開放して風呂熱交換器をバイパスして貯湯タンクの水を水給湯熱交換器へ流入させ、ヒートポンプの凝縮熱で加熱するため、給湯回路の損失抵抗が減少し、高流量まで運転できるようになり、水給湯熱交換器へ流入する流体を高温まで加熱できるため、貯湯熱量は増加する。
【００１３】
また、請求項６記載の発明は、蒸発器の冷媒入口温度を検出する冷媒温度検出手段と、前記蒸発器あるいは冷媒風呂熱交換器のいづれかに冷媒の流れを切換える冷媒切換え手段と、風呂熱回収熱交換器あるいは第２の風呂熱回収熱交換器のいづれかに浴槽水の流れを切換える風呂切換え手段と、前記冷媒温度検出手段の信号を受けて前記冷媒切換え手段および前記風呂切換え手段を制御する運転切換え制御手段を有する請求項２記載ヒートポンプ式風呂給湯システムであり、蒸発器を利用した風呂廃熱回収運転において、冬季に蒸発器の着霜を冷媒入口温度で検出して、冷媒の流れを冷媒風呂熱交換器へ切り換え、一方、浴槽湯の流れを風呂廃熱回収回路の第２の風呂熱回収熱交換器へ切り換えて、浴槽湯を吸熱源とした圧縮機のヒートポンプ運転を継続する。従って、冬季に着霜が生じる外気条件において、高効率で貯湯運転できる。
【００１４】
以下、本発明の実施例について図面を用いて説明する。なお、従来例および各実施例において、同じ構成、同じ動作をするものについては同一符号を付し、一部説明を省略する。
【００１５】
（実施の形態１）
図１は本発明の実施例１のヒートポンプ式風呂給湯システムの構成図である。図１において、実線矢印は冷媒回路の冷媒の流れ方向を示し、破線は給湯回路の水の流れ方向を示し、一点鎖線は風呂回路の浴槽水の流れ方向を示す。１は圧縮機、２は冷媒給湯熱交換器、３は減圧手段、４は蒸発器であり、大気熱あるいは太陽熱などを吸熱する。５は冷媒回路であり、圧縮機１、冷媒給湯熱交換器２、減圧手段３、蒸発器４を備える。６は貯湯タンク、７は給湯ポンプ、８は風呂熱交換器、９は水給湯熱交換器であり、冷媒給湯熱交換器２と熱交換関係を有する。１０は給湯回路であり、貯湯タンク６、給湯ポンプ７、風呂熱交換器８、水給湯熱交換器９を備える。１１は浴槽、１２は風呂ポンプ、１３は風呂熱回収熱交換器であり、風呂熱交換器８と熱交換関係を有する。１４は風呂回路であり、浴槽１１、風呂ポンプ１２、風呂熱回収熱交換器１３を有する。
【００１６】
以上の構成において、その動作、作用について説明する。風呂廃熱回収運転において、貯湯タンク６の水は給湯ポンプ７によって風呂熱交換器８へ流入する。一方、浴槽１１の湯は風呂ポンプ１２を通り、風呂熱回収熱交換器１３へ流入し、ここで、風呂熱交換器８を流れる水を加熱する。そして、放熱した浴槽湯は浴槽１１へ戻る。一方、風呂熱交換器８で加熱された給湯回路１０の水は水給湯熱交換器９へ流入する。そして、ここで、圧縮機１から吐出した高温高圧のガス冷媒の凝縮熱で冷媒給湯熱交換器２を介して加熱され、貯湯タンク６の上部に貯湯される。一方、冷媒給湯熱交換器２で凝縮液化した冷媒は減圧手段３で減圧されて蒸発器４へ流入し、ここで大気熱あるいは太陽熱を吸熱して蒸発ガス化し、圧縮機１へ戻る。このサイクルを繰り返しながら、浴槽残り湯の熱を回収して貯湯タンクに貯湯する。従って、浴槽の残り湯をヒートポンプ加熱のプレヒートに利用するため、省エネルギーとなる。また、浴槽残り湯の熱とヒートポンプ加熱を同時運転するため、貯湯タンクの沸き上げ時間を短縮できる。また、ヒートポンプの加熱能力を小さくできるため、圧縮機、冷媒給湯熱交換器、蒸発器などの小型化が達成できる。
【００１７】
（実施の形態２）
図２は本発明の実施例２のヒートポンプ式風呂給湯システムの構成図である。図２において、第２の風呂熱回収熱交換器を利用した風呂廃熱運転時の冷媒流れ方向を実線矢印、浴槽水の流れ方向を一点鎖線で表す。１５は冷媒風呂熱交換器であり、蒸発器４と並列に冷媒回路５と接続されている。１６は第２の風呂熱回収熱交換器であり、冷媒風呂熱交換器１５と熱交換関係を有し、風呂熱回収熱交換器１３と並列に接続される。１７は風呂熱回収回路であり、第２の風呂熱回収熱交換器１６を有し、風呂回路１４と接続されている。１８は冷媒切換え手段であり、蒸発器４と冷媒風呂熱交換器１５の冷媒流れの切り換えをおこなう。１９は風呂切換え手段であり、風呂熱回収熱交換器１３と第２の風呂熱回収熱交換器１６の浴槽水の流れの切り換えをおこなう。２０は風呂温度検出手段であり、風呂回路の流体温度を検出する。２１は給水温度検出手段であり、給湯回路の流体温度を検出する。２２は制御手段であり、風呂温度検出手段２０の信号と給水温度検出手段２１の信号を比較して冷媒切換え手段１８および風呂切換え手段１９へ信号を送る。
【００１８】
以上の構成において、その動作、作用について説明する。風呂廃熱回収運転において、運転経過とともに浴槽１１の残り湯温は低下し、風呂熱交換器８で給湯回路１０の水を加熱する能力が小さくなつた場合、例えば、風呂熱回収熱交換器１３の流体入口温度を風呂温度検出手段２０で検出し、風呂熱交換器８の流体出口温度を給水温度検出手段２１で検出して、風呂温度検出手段２０と給水温度検出手段２１の信号が所定温度差を示す場合に、制御手段２２は冷媒切換え手段１８および風呂切換え手段１９へ信号を送り、冷媒を冷媒風呂熱交換器１５へ、また、浴槽湯を第２の風呂熱回収熱交換器１６へ流すように切り換える。そして、冷媒風呂熱交換器１５を流れる冷媒温度は第２の風呂熱回収熱交換器１６を流れる浴槽湯温よりも低温となるように減圧手段３で減圧されているため、浴槽湯を吸熱し、蒸発ガス化して、圧縮機１に流入する。そして、ヒートポンプした凝縮熱で冷媒給湯熱交換器２を介して水給湯熱交換器９を流れる水を加熱する。従って、浴槽の残り湯を低温まで廃熱回収することができるようになり、さらに省エネルギーとなる。また、１つの風呂ポンプ１２で風呂熱回収熱交換器１３と第２の風呂熱回収熱交換器１６を利用することができる。尚、風呂温度検出手段２０が所定温度の信号を示した時に制御手段２２が動作しても、同様に浴槽の残り湯を低温まで廃熱回収することができる。      
【００１９】
（実施の形態３）
図３は本発明の実施例３のヒートポンプ式風呂給湯システムの構成図である。図３において、２３は流量制御手段であり、給湯ポンプ７の流量制御をおこなう。２４は温度検出手段であり、水給湯熱交換器９の流体出口温度を検出する。２５は給湯ポンプ制御手段であり、温度検出手段２４の信号を受けて流量制御手段２３へ信号を送る。
【００２０】
以上の構成において、その動作、作用について説明する。風呂廃熱回収運転において、運転経過とともに浴槽１１の残り湯温は低下するため、加熱量が低下し、風呂熱交換器８の出口温度は下がる。そのため、水給湯熱交換器９出口の湯温も下がる。それを検出して温度検出手段２４は給湯ポンプ制御手段２５へ信号を送り、流量制御手段２３を介して給湯ポンプ７の流量を下げる制御をおこなう。そのため、水給湯熱交換器９出口の湯温は所定湯温に回復する。よつて、貯湯タンクに同じ湯温で貯湯することができる。
【００２１】
（実施の形態４）
図４は本発明の実施例４のヒートポンプ式風呂給湯システムの構成図である。図４において、２６は給水温度検出手段であり、貯湯タンク下部あるいは風呂熱交換器８の流体入口温度を検出する。２７は風呂温度検出手段であり、風呂熱回収熱交換器１３の流体出口温度を検出する。２８は風呂流量制御手段であり、風呂ポンプ１２の流量制御をおこなう。２９は風呂ポンプ制御手段であり、給水温度検出手段２６と風呂温度検出手段２７の信号を受けて風呂流量制御手段２８を制御する。
【００２２】
以上の構成において、その動作、作用について説明する。風呂廃熱回収運転において、運転経過とともに浴槽の残り湯温は低下するため、風呂温度検出手段２７の信号と給水温度検出手段２６の信号を受けて、両信号に基づいた温度差が小さくなると風呂ポンプ流量制御手段２９は風呂流量制御手段２８を制御し、風呂熱回収熱交換器１３を流れる流量を増加するように風呂ポンプ１２の流量制御をおこない、風呂熱回収熱交換器１３の流体出口温度を高める。よって、風呂熱回収熱交換器１３の流体出口温度と風呂熱交換器８の流体入口温度の温度差は大きくなるため、風呂熱回収熱交換器１３の流体入口温度をさらに下げて運転できる。従って、浴槽の残り湯が低温になるまで廃熱回収運転できる。
【００２３】
（実施の形態５）
図５は本発明の実施例５のヒートポンプ式風呂給湯システムの構成図である。図５において、３０は温度検出手段であり、水給湯熱交換器９の流体出口温度を検出する。３１は周波数制御手段であり、圧縮機１の運転周波数を可変する。３２は能力制御手段であり、温度検出手段３０の信号を受けて周波数制御手段３１へ信号を送る。
【００２４】
以上の構成において、その動作、作用について説明する。風呂廃熱回収運転において、運転経過とともに浴槽１１の残り湯温は低下するため、加熱量が低下して風呂熱交換器８出口温度は下がる。そのため、水給湯熱交換器９出口の湯温も下がり、温度検出手段３０の信号から能力制御手段３２は周波数制御手段３１へ信号を送り、圧縮機１の運転周波数を大きくする。従って、ヒートポンプの加熱能力が増加するため、給湯負荷に対応した貯湯湯量および安定した沸き上げ湯温が得られる。また、入浴完了直後など、浴槽１１の残り湯温が高温の場合には、風呂熱交換器８での熱交換量は大きいため、風呂熱交換器８出口温度は上がる。そのため、水給湯熱交換器９出口の湯温も上昇し、温度検出手段３０の信号から能力制御手段３２は周波数制御手段３１へ信号を送り、圧縮機１の運転周波数を小さくする。従って、圧縮機１の冷媒循環量は下がり、加熱能力が下がるとともに蒸発器４の冷媒温度は高くなり、高効率で廃熱回収運転できる。なお、水給湯熱交換器９の流体出口温度の代わりに風呂回路１４の流体温度を検出して能力制御手段３２へ信号を送っても同様の効果が得られる。
【００２５】
（実施の形態６）
図６は本発明の実施例６のヒートポンプ式風呂給湯システムの構成図である。図６において、実線矢印は風呂熱交換器８で風呂廃熱回収しない場合の給湯回路の水の流れ方向を示す。３３はバイパス管であり、風呂熱交換器８と並列に設ける。３４は開閉弁であり、バイパス管３３に設ける。
【００２６】
以上の構成において、その動作、作用について説明する。風呂廃熱回収運転において、浴槽１１の残り湯温が低下した場合など、風呂熱交換器８で廃熱回収しない場合に、開閉弁３４を開放して給湯ポンプ７から送られてきた水をバイパス管３３を経て水給湯熱交換器９へ流入させる。そして、ここで、ヒートポンプの凝縮熱で加熱して貯湯タンク６へ貯湯する。従って、給湯回路の損失抵抗は小さくなり、給湯ポンプ７は高流量まで運転することができる。そのため、水給湯熱交換器９の流体入口温度が高温になるまで加熱することができ、貯湯タンク６の貯湯熱量は増加する。
【００２７】
（実施の形態７）
図７は本発明の実施例７のヒートポンプ式風呂給湯システムの構成図である。図７において、着霜を検知した後の浴槽水の流れ方向を実線矢印で示し、冷媒の流れ方向を破線で示す。３５は冷媒温度検出手段であり、蒸発器４の冷媒入口温度を検出する。３６は冷媒切換え手段であり、蒸発器４と冷媒風呂熱交換器１５への冷媒流れを切り換える。３７は風呂切換え手段であり、風呂熱回収熱交換器１３と第２の風呂熱回収熱交換器１６への浴槽湯の流れを切り換える。３８は運転切替え制御手段であり、冷媒温度検出手段３５の信号を受けて冷媒切換え手段３６および風呂切換え手段３７を制御する。
【００２８】
以上の構成において、その動作、作用について説明する。風呂廃熱回収運転において、蒸発器４を利用した風呂廃熱回収運転において、冬季の外気温度が低い場合に蒸発器４の表面が着霜する。それを冷媒温度検出手段３５が検出して冷媒切換え手段３６および風呂切換え手段３７へ信号を送り、冷媒は冷媒風呂熱交換器１５へ流れ、一方、浴槽湯は風呂熱回収回路１７の第２の風呂熱回収熱交換器１６へ流れる。そして、大気より高温の浴槽湯を吸熱源として圧縮機１は運転し、凝縮熱で給湯回路１０の水を加熱する貯湯運転を継続する。従って、冬季に着霜が生じる外気条件において、高効率で貯湯運転できる。
【００２９】
（実施の形態８）
図８は本発明の実施例８のヒートポンプ式風呂給湯システムの構成図である。図８において、実線矢印は風呂の追い焚き運転時の給湯回路の水の流れ方向を示す。３９は給湯バイパス管であり、水給湯熱交換器９の流体出口と給湯ポンプ７の流体入口を接続する。４０は流路切換え手段であり、給湯バイパス管３９に具備する。
【００３０】
以上の構成において、その動作、作用について説明する。風呂の追い焚き運転において、水給湯熱交換器９から流出する高温湯を流路切換え手段４０を介して給湯バイパス管３９を流通させて風呂熱交換器８へ流し、風呂熱交換器８を介して風呂熱回収熱交換器１３に流入する浴槽湯を加熱する。従って、ヒートポンプを利用して、高効率で風呂追い焚き運転できるため、利便性が向上する。
【００３１】
（実施の形態９）
図９は本発明の実施例９のヒートポンプ式風呂給湯システムの構成図である。図９において、４１は蓄熱器であり、給湯バイパス管３９と熱交換関係を有する。
【００３２】
以上の構成において、その動作、作用について説明する。圧縮機１から吐出した冷媒は冷媒給湯熱交換器２を介して水給湯熱交換器９に流入する水を加熱する。そして、加熱された高温の湯は蓄熱器４１へ流入し、ここで蓄熱材へ放熱する。そして、放熱した水は風呂熱交換器８を通り、あるいは風呂熱交換器８をバイパスして再度水給湯熱交換器９へ流入する。このサイクルで蓄熱器４１に蓄熱される。そして、風呂追い焚き運転時に、蓄熱器４１へ流入する水は蓄熱材から吸熱して温度上昇して風呂熱交換器８へ流入する。そして、風呂熱交換器８を介して風呂熱回収熱交換器１３の浴槽水を加熱する。一方、放熱して温度低下した水は水給湯熱交換器９を通り、再度蓄熱器４１へ流入し、蓄熱材から吸熱して流出する。従って、蓄熱を利用して風呂追い焚き運転するため、立ち上げスピードは向上する。
【００３３】
（実施の形態１０）
図１０は本発明の実施例１０のヒートポンプ式風呂給湯システムの構成図である。図１０において、実線矢印は給湯回路の水の流れ方向を示し、破線矢印は冷媒流れ方向を示す。４２は冷媒過冷却熱交換器であり、蓄熱器４１と熱交換関係を有し、冷媒給湯熱交換器２の冷媒出口に設ける。
【００３４】
以上の構成において、その動作、作用について説明する。貯湯タンク６を沸き上げる貯湯運転時において、圧縮機１から吐出した冷媒は冷媒給湯熱交換器２を介して水給湯熱交換器９に流入する水を加熱する。そして、冷媒給湯熱交換器２で凝縮液化した冷媒は冷媒過冷却熱交換器４２へ流入し、ここで過冷却冷媒の液エンタルピーが蓄熱器４１の蓄熱に利用される。そして、過冷却が大きくなった冷媒は減圧手段３で減圧されて再度蒸発器４あるいは冷媒風呂熱交換器１５へ流入する。このサイクルの繰り返しで蓄熱器４１に蓄熱される。そして、風呂追い焚き運転時において、蓄熱器４１へ流入する水は蓄熱器４１から吸熱して温度上昇して風呂熱交換器８へ流入する。そして、風呂熱交換器８を介して風呂熱回収熱交換器１３へ流入する浴槽水を加熱する。一方、放熱して温度低下した水は水給湯熱交換器９を通り、再度蓄熱器４１へ流入し、吸熱して再び温度上昇して流出する。すなわち、貯湯運転時の過冷却冷媒のエンタルピーを蓄熱して、風呂追い焚き運転時に、浴槽水の加熱に利用するため、省エネルギーとなる。
【００３５】
（実施の形態１１）
図１１は本発明の実施例１１のヒートポンプ式風呂給湯システムの構成図である。図１１において、４３はクロックであり、時間を計時する。４４は運転制御手段であり、クロック４３の信号を受けて圧縮機１および流路切換え手段４０を制御する。
【００３６】
以上の構成において、その動作、作用について説明する。深夜時間帯であることをクロック４３で検出して、運転制御手段４４は流路切換え手段４０で給湯バイパス管３９側に流路切り換えをするとともに圧縮機１を運転する。そして、圧縮機１の吐出冷媒は冷媒給湯熱交換器２へ流入し、ここで水給湯熱交換器９へ流入する水を加熱する。そして、加熱された高温湯は蓄熱器４１へ流入し、蓄熱材を蓄熱する。そして、風呂追い焚き運転時に、蓄熱器４１へ流入する水を加熱し、加熱された水は風呂熱交換器８を介して風呂熱回収熱交換器１３へ流入する浴槽湯を加熱する。従って、深夜の低料金時間帯に蓄熱した熱を風呂追い焚きの加熱に利用するため、低運転維持費であるとともに電力負荷の平準化になる。
【図面の簡単な説明】
【００３７】
【図１】本発明の実施例１のヒートポンプ式風呂給湯システムの構成図
【図２】本発明の実施例２のヒートポンプ式風呂給湯システムの構成図
【図３】本発明の実施例３のヒートポンプ式風呂給湯システムの構成図
【図４】本発明の実施例４のヒートポンプ式風呂給湯システムの構成図
【図５】本発明の実施例５のヒートポンプ式風呂給湯システムの構成図
【図６】本発明の実施例６のヒートポンプ式風呂給湯システムの構成図
【図７】本発明の実施例７のヒートポンプ式風呂給湯システムの構成図
【図８】本発明の実施例８のヒートポンプ式風呂給湯システムの構成図
【図９】本発明の実施例９のヒートポンプ式風呂給湯システムの構成図
【図１０】本発明の実施例１０のヒートポンプ式風呂給湯システムの構成図
【図１１】本発明の実施例１１のヒートポンプ式風呂給湯システムの構成図
【図１２】従来のヒートポンプシステムの構成図
【符号の説明】
【００３８】
１  圧縮機
２  冷媒給湯熱交換器
３  減圧手段
４  蒸発器
５  冷媒回路
６  貯湯タンク
７  給湯ポンプ
８  風呂熱交換器
９  水給湯熱交換器
１０  給湯回路
１１  浴槽
１２  風呂ポンプ
１３  風呂熱回収熱交換器
１４  風呂回路
１５  冷媒風呂熱交換器
１６  第２の風呂熱回収熱交換器
１７  風呂熱回収回路
１８  冷媒切換え手段
１９  風呂切換え手段
２０  風呂温度検出手段
２１  給水温度検出手段
２２  制御手段
２３  流量制御手段
２４  温度検出手段
２５  給湯ポンプ制御手段
２６  水温度検出手段
２７  風呂温度検出手段
２８  風呂流量制御手段
２９  風呂ポンプ制御手段
３０  温度検出手段
３１  周波数制御手段
３２  能力制御手段
３３  バイパス管
３４  開閉弁
３５  冷媒温度検出手段
３６  冷媒切換え手段
３７  風呂切換え手段
３８  運転切換え制御
３９  給湯バイパス管
４０  流路切換え手段
４１  蓄熱器
４２  冷媒過冷却熱交換器
４３  クロック
４４  運転制御手段
【図１】
2005030758.tif 000003
【図２】
2005030758.tif 000004
【図３】
2005030758.tif 000005
【図４】
2005030758.tif 000006
【図５】
2005030758.tif 000007
【図６】
2005030758.tif 000008
【図７】
2005030758.tif 000009
【図８】
2005030758.tif 000010
【図９】
2005030758.tif 000011
【図１０】
2005030758.tif 000012
【図１１】
2005030758.tif 000013
【図１２】
2005030758.tif 000014